(57)【要約】  本明細書で説明する方法と装置は、マルチバンド・アンテナ（１００）において選択された周波数バンドの帯域幅を改善する。具体的には、選択回路（１４０）は、第１の周波数バンドの帯域幅を改善するため、第２の周波数バンドの帯域幅に悪影響を与えること無く、マルチバンド・アンテナ（１００）に選択的に容量性結合を適用する。その目的のため、本発明のマルチバンド・アンテナ（１００）は、主アンテナ素子（１１０）と主アンテナ素子（１１０）に近接して配置する寄生素子（１２０）とを備える。マルチバンド・アンテナ（１００）が第１の周波数バンドで動作する場合、主アンテナ素子（１１０）は寄生素子（１２０）に容量性結合する。しかしながら、マルチバンド・アンテナ（１００）が第２の周波数バンドで動作する場合、選択回路（１４０）は容量性結合を無効にする。マルチバンド・アンテナ（１００）が第１の周波数バンドで動作する時にのみ容量性結合を適用することにより、本発明は、第２の周波数バンドの帯域幅に悪影響を与えること無く、第１の周波数バンドの帯域幅を増加させる。
2009510900.tif 000002
【特許請求の範囲】
【請求項１】
マルチバンド・アンテナ（１００）の帯域幅を増加するための方法であって、
前記マルチバンド・アンテナ（１００）が第１の周波数バンドで動作するとき、前記第１の周波数バンドの帯域幅を増加するため、主アンテナ素子（１１０）と前記主アンテナ素子（１１０）に近接して配置された寄生素子（１２０）とを容量性結合するステップと、
前記マルチバンド・アンテナ（１００）が第２の周波数バンドで動作するとき、前記容量性結合を無効にするステップと、
を備えることを特徴とする方法。
【請求項２】
前記マルチバンド・アンテナ（１００）が前記第１の周波数バンドで動作するとき、前記第１の周波数バンドの共振周波数を維持するため、前記主アンテナ素子（１１０）のインピーダンスを調整することにより前記容量性結合に起因する共振周波数シフトを補償するステップをさらに備えることを特徴とする請求項１に記載の方法。
【請求項３】
前記主アンテナ素子（１１０）と前記寄生素子（１２０）とを容量性結合する前記ステップは、前記マルチバンド・アンテナ（１００）が前記第１の周波数バンドで動作するとき、前記寄生素子（１２０）と前記主アンテナ素子（１１０）のグラウンドとの間に低インピーダンスを生成するステップを備え、前記容量性結合を無効にする前記ステップは、前記マルチバンド・アンテナ（１００）が前記第２の周波数バンドで動作するとき、前記寄生素子（１２０）と前記主アンテナ素子（１１０）の前記グラウンドとの間に高インピーダンスを生成するステップを備えることを特徴とする請求項１に記載の方法。
【請求項４】
前記低インピーダンスを生成する前記ステップは、前記寄生素子（１２０）と前記主アンテナ素子（１１０）の前記グラウンド（１３２）との間にショート回路を生成するためにスイッチ（１４０）をクローズするステップを備え、前記高インピーダンスを生成する前記ステップは、前記寄生素子（１２０）と前記主アンテナ素子（１１０）の前記グラウンド（１３２）との間にオープン回路を生成するためにスイッチ（１４０）をオープンするステップを備えることを特徴とする請求項３に記載の方法。
【請求項５】
前記第１の周波数バンドで動作するときの前記低インピーダンスを生成するステップ、および、前記第２の周波数バンドで動作するときの前記高インピーダンスを生成するステップは、前記寄生素子（１２０）と前記主アンテナ素子（１１０）の前記グラウンド（１３２）との間にフィルタ（１４０）を配置するステップを備え、前記フィルタ（１４０）は、前記第１の周波数バンドの周波数に応答する低インピーダンスと前記第２の周波数バンドの周波数に応答する高インピーダンスとを有することを特徴とする請求項３に記載の方法。
【請求項６】
前記第１および第２の周波数バンドの一方は低周波数無線通信バンドを含み、前記第１および第２の周波数バンドのもう一方は高周波数無線通信バンドを含むことを特徴とする請求項１に記載の方法。
【請求項７】
前記低周波数バンドは、全地球測位システム、パーソナル・デジタル・セルラ、符号分割多元接続、高度携帯電話システムおよびモバイル通信用グローバルシステムの少なくとも一つで運用される低周波数バンドを含み、前記高周波数バンドは、パーソナル通信サービス、符号分割多元接続、全地球測位システムおよびモバイル通信用グローバルシステムの少なくとも一つで運用される高周波数バンドを含むことを特徴とする請求項６に記載の方法。
【請求項８】
前記主アンテナ素子（１１０）は、折り曲げモノポール・マルチバンド・アンテナ（１１０）を含むことを特徴とする請求項１に記載の方法。
【請求項９】
前記マルチバンド・アンテナ（１００）が前記第２の周波数バンドで動作するとき、前記第２の周波数バンドの帯域幅を増加するため、前記主アンテナ素子（１１０）と前記主アンテナ素子（１１０）に近接して配置された第２の寄生素子（１２２）とを容量性結合するステップと、
前記マルチバンド・アンテナ（１００）が前記第１の周波数バンドで動作するとき、前記第２の寄生素子に起因する前記容量性結合を無効にするステップと、
をさらに備えることを特徴とする請求項１に記載の方法。
【請求項１０】
無線通信デバイスのためのマルチバンド・アンテナ（１００）であって、
主アンテナ素子（１１０）と、
前記主アンテナ素子（１１０）の一部に近接して配置された寄生素子（１２０）と、
前記寄生素子（１２０）に作用するよう接続された選択回路（１４０）であって、前記選択回路（１４０）は、前記マルチバンド・アンテナ（１００）が第１の周波数バンドで動作するとき、前記第１の周波数バンドの帯域幅を増加するため、前記主アンテナ素子（１１０）と前記寄生素子（１２０）との間の容量性結合を有効化するよう構成され、前記マルチバンド・アンテナ（１００）が第２の周波数バンドで動作するとき、前記容量性結合を無効化するよう構成される、選択回路と、
を備えることを特徴とするマルチバンド・アンテナ。
【請求項１１】
前記マルチバンド・アンテナ（１００）が前記第１の周波数バンドで動作するとき、前記第１の周波数バンドの共振周波数を維持するため、前記主アンテナ素子（１１０）のインピーダンスを調整することにより前記容量性結合に起因する共振周波数シフトを補償するよう構成されるインピーダンス整合回路（１１４）をさらに備えることを特徴とする請求項１０に記載のマルチバンド・アンテナ（１００）。
【請求項１２】
前記選択回路（１４０）は、前記寄生素子（１２０）と前記主アンテナ素子（１１０）のグラウンド（１３２）との間に作用するよう接続されたスイッチ（１４０）を備えることを特徴とする請求項１０に記載のマルチバンド・アンテナ（１００）。
【請求項１３】
前記スイッチ（１４０）は、前記マルチバンド・アンテナ（１００）が前記第１の周波数バンドで動作するとき、前記寄生素子（１２０）と前記主アンテナ素子（１１０）の前記グラウンド（１３２）との間にショート回路を形成し前記容量性結合を有効化するためにクローズするよう構成され、前記スイッチ（１４０）は、前記マルチバンド・アンテナ（１００）が前記第２の周波数バンドで動作するとき、前記寄生素子（１２０）と前記主アンテナ素子（１１０）の前記グラウンド（１３２）との間にオープン回路を形成し前記容量性結合を無効化するためにオープンするよう構成されることを特徴とする請求項１２に記載のマルチバンド・アンテナ（１００）。
【請求項１４】
前記選択回路（１４０）は、前記寄生素子（１２０）と前記主アンテナ素子（１１０）のグラウンドとの間に作用するよう接続されたフィルタ（１４０）を備えることを特徴とする請求項１０に記載のマルチバンド・アンテナ（１００）。
【請求項１５】
前記フィルタ（１４０）は、前記マルチバンド・アンテナ（１００）が前記第１の周波数バンドで動作するとき前記容量性結合を有効化するための低インピーダンスを有し、前記フィルタ（１４０）は、前記マルチバンド・アンテナ（１００）が前記第２の周波数バンドで動作するとき前記容量性結合を無効化するための高インピーダンスを有することを特徴とする請求項１４に記載のマルチバンド・アンテナ（１００）。
【請求項１６】
前記主アンテナ素子（１１０）は、フィード端（１１６）と終端（１１８）とを含む放射素子（１１２）を備えることを特徴とする請求項１０に記載のマルチバンド・アンテナ（１００）。
【請求項１７】
前記寄生素子（１２０）は、前記放射素子（１１２）と同一の平面にあることを特徴とする請求項１６に記載のマルチバンド・アンテナ（１００）。
【請求項１８】
前記終端（１１８）の相対的方向は、前記フィード端（１１６）の相対的方向と直交することを特徴とする請求項１６に記載のマルチバンド・アンテナ（１００）。
【請求項１９】
前記寄生素子（１２０）は、前記放射素子（１１２）の前記終端（１１８）と平行であることを特徴とする請求項１８に記載のマルチバンド・アンテナ（１００）。
【請求項２０】
前記第１および第２の周波数バンドの一方は低周波数無線通信バンドを含み、前記第１および第２の周波数バンドのもう一方は高周波数無線通信バンドを含むことを特徴とする請求項１０に記載のマルチバンド・アンテナ（１００）。
【請求項２１】
前記低周波数バンドは、全地球測位システム、パーソナル・デジタル・セルラ、符号分割多元接続、高度携帯電話システムおよびモバイル通信用グローバルシステムの少なくとも一つで運用される低周波数バンドを含み、前記高周波数バンドは、パーソナル通信サービス、符号分割多元接続、全地球測位システムおよびモバイル通信用グローバルシステムの少なくとも一つで運用される高周波数バンドを含むことを特徴とする請求項２０に記載のマルチバンド・アンテナ（１００）。
【請求項２２】
前記主アンテナ素子（１１０）の一部に近接して配置された第２の寄生素子（１２２）と、
前記第２の寄生素子（１２２）に作用するよう接続された第２の選択回路（１４２）であって、前記第２の選択回路（１４０）は、前記マルチバンド・アンテナ（１００）が前記第２の周波数バンドで動作するとき、前記第２の周波数バンドの帯域幅を増加するため、前記主アンテナ素子（１１０）と前記第２の寄生素子（１２２）との間の容量性結合を有効化し、前記マルチバンド・アンテナ（１００）が前記第１の周波数バンドで動作するとき、前記第２の寄生素子（１２２）に起因する前記容量性結合を無効化するよう構成される、第２の選択回路と、
をさらに備えることを特徴とする請求項１０に記載のマルチバンド・アンテナ（１００）。
【請求項２３】
前記主アンテナ素子（１１０）は、折り曲げモノポール・アンテナ（１１０）を含むことを特徴とする請求項１０に記載のマルチバンド・アンテナ（１００）。
【請求項２４】
無線通信デバイス（１０）であって、
無線ネットワークを介して無線信号を送信し受信するように構成されるトランシーバ（５０）と、
前記トランシーバ（５０）に作用するよう接続されたマルチバンド・アンテナ（１００）であって、
主アンテナ素子（１１０）と、
前記主アンテナ素子（１１０）の一部に近接して配置された寄生素子（１２０）と、
前記寄生素子（１２０）に作用するよう接続された選択回路（１４０）であって、前記選択回路（１４０）は、前記マルチバンド・アンテナ（１００）が第１の周波数バンドで動作するとき、前記第１の周波数バンドの帯域幅を増加するため、前記主アンテナ素子（１１０）と前記寄生素子（１２０）との間の容量性結合を有効化するよう構成され、前記マルチバンド・アンテナ（１００）が第２の周波数バンドで動作するとき、前記容量性結合を無効化するよう構成される、選択回路と、
を備える、マルチバンド・アンテナと、
を備えることを特徴とする無線通信デバイス。
【請求項２５】
前記マルチバンド・アンテナ（１００）は、前記マルチバンド・アンテナ（１００）が前記第１の周波数バンドで動作するとき、前記第１の周波数バンドの共振周波数を維持するため、前記主アンテナ素子（１１０）のインピーダンスを調整することにより前記容量性結合に起因する共振周波数シフトを補償するよう構成されるインピーダンス整合回路（１１４）をさらに備えることを特徴とする請求項２４に記載の無線通信デバイス（１０）。
【請求項２６】
前記選択回路（１４０）は、前記寄生素子（１２０）と前記主アンテナ素子（１１０）のグラウンドとの間に作用するよう接続されたスイッチ（１４０）を備え、前記スイッチ（１４０）は、前記マルチバンド・アンテナ（１００）が前記第１の周波数バンドで動作するとき、前記寄生素子（１２０）と前記主アンテナ素子（１１０）の前記グラウンド（１３２）との間にショート回路を形成し前記容量性結合を有効化するためにクローズするよう構成され、前記スイッチ（１４０）は、前記マルチバンド・アンテナ（１００）が前記第２の周波数バンドで動作するとき、前記寄生素子（１２０）と前記主アンテナ素子（１１０）の前記グラウンド（１３２）との間にオープン回路を形成し前記容量性結合を無効化するためにオープンするよう構成されることを特徴とする請求項２４に記載の無線通信デバイス（１０）。
【請求項２７】
前記選択回路（１４０）は、前記寄生素子（１２０）と前記主アンテナ素子（１１０）のグラウンドとの間に作用するよう接続されたフィルタ（１４０）を備え、前記フィルタ（１４０）は、前記マルチバンド・アンテナ（１００）が前記第１の周波数バンドで動作するとき前記容量性結合を有効化するための低インピーダンスを有し、前記フィルタ（１４０）は、前記マルチバンド・アンテナ（１００）が前記第２の周波数バンドで動作するとき前記容量性結合を無効化するための高インピーダンスを有することを特徴とする請求項２４に記載の無線通信デバイス（１０）。
【請求項２８】
前記第１および第２の周波数バンドの一方は低周波数無線通信バンドを含み、前記第１および第２の周波数バンドのもう一方は高周波数無線通信バンドを含むことを特徴とする請求項２４に記載の無線通信デバイス（１０）。
【請求項２９】
前記低周波数バンドは、全地球測位システム、パーソナル・デジタル・セルラ、符号分割多元接続、高度携帯電話システムおよびモバイル通信用グローバルシステムの少なくとも一つで運用される低周波数バンドを含み、前記高周波数バンドは、パーソナル通信サービス、符号分割多元接続、全地球測位システムおよびモバイル通信用グローバルシステムの少なくとも一つで運用される高周波数バンドを含むことを特徴とする請求項２８に記載の無線通信デバイス（１０）。
【請求項３０】
前記マルチバンド・アンテナ（１００）は、
前記主アンテナ素子（１１０）の一部に近接して配置された第２の寄生素子（１２２）と、
前記第２の寄生素子（１２２）に作用するよう接続された第２の選択回路（１４２）であって、前記第２の選択回路（１４０）は、前記マルチバンド・アンテナ（１００）が前記第２の周波数バンドで動作するとき、前記第２の周波数バンドの帯域幅を増加するため、前記主アンテナ素子（１１０）と前記第２の寄生素子（１２２）との間の容量性結合を有効化し、前記マルチバンド・アンテナ（１００）が前記第１の周波数バンドで動作するとき、前記第２の寄生素子（１２２）に起因する前記容量性結合を無効化するよう構成される、第２の選択回路と、
をさらに備えることを特徴とする請求項２４に記載の無線通信デバイス（１０）。
【請求項３１】
前記主アンテナ素子（１１０）は、折り曲げモノポール・アンテナ（１１０）を含むことを特徴とする請求項２４に記載の無線通信デバイス（１０）。
【発明の詳細な説明】
【技術分野】
【０００１】
本発明は、一般的には無線通信アンテナに、より具体的には無線通信デバイスのためのマルチバンド・アンテナに関する。
【背景技術】
【０００２】
無線通信デバイスは、典型的にはマルチバンド・アンテナを使用して、高度携帯電話システム（ＡＭＰＳ）、パーソナル通信サービス（ＰＣＳ）、パーソナル・デジタル・セルラ（ＰＤＣ）、モバイル通信用グローバルシステム（ＧＳＭ）、符号分割多元接続（ＣＤＭＡ）等の複数の無線通信周波数バンドにおける無線信号を送信し、受信する。折り曲げモノポール・アンテナは一般的なマルチバンド・アンテナである。折り曲げモノポール・アンテナは、典型的には所望の全ての無線通信周波数バンドをカバーするのに十分な帯域幅をもたないが、小型でマルチバンド設計であるため、無線通信デバイスを小型にするのに適している。
【発明の開示】
【発明が解決しようとする課題】
【０００３】
また、アンテナ性能を改善する寄生素子が知られている。マルチバンド・アンテナに適用すれば、寄生素子は、典型的には無線通信周波数バンドの一つにおける性能を改善するのみであり、他の無線通信周波数バンドにおけるアンテナの性能に悪影響を及ぼす。
【課題を解決するための手段】
【０００４】
本発明は無線通信デバイスのためのマルチバンド・アンテナに関する。マルチバンド・アンテナには主アンテナ素子と寄生素子とを含む。前記アンテナが第１の周波数バンドで動作するとき、選択回路は前記寄生素子をグラウンドに接続して主アンテナ素子を寄生素子に容量性結合する。この容量性結合は第１の周波数バンドの帯域幅を増加させる。前記アンテナが第２の周波数バンドで動作する時、前記選択回路は容量性結合を解除する。前記アンテナが第１の周波数バンドで動作する時のみ容量性結合を適用することにより、前記第２の周波数バンドの性能に悪影響を与えずに、前記第１の周波数バンドの帯域幅を増加する。
【０００５】
本発明によれば、寄生素子とアンテナ・グラウンドとの間の低インピーダンス接続により、前記アンテナが第１の周波数バンドで動作する時、寄生素子とアンテナ素子との間の容量性結合を有効にする。前記アンテナが第２の周波数バンドで動作する時、寄生素子とアンテナ・グラウンドとの間の高インピーダンス接続により前記容量性結合を無効とする。前記アンテナは、所望の高および低インピーダンス接続を生成するために、スイッチのような選択回路を使用してもよい。もう一つの実施形態によれば、前記選択回路には、フィルタを備えてもよいが、これは前記フィルタが第１の周波数バンドにおける周波数に対応して低インピーダンスを持ち、かつ、第２の周波数バンドにおける周波数に対応して高インピーダンスを持つ場合である。
【発明を実施するための最良の形態】
【０００６】
図１に典型的な無線通信デバイス１０のブロック図を示す。無線通信デバイス１０は、コントローラ２０、メモリ３０、ユーザ・インタフェース４０、トランシーバ５０およびマルチバンド・アンテナ１００を備える。コントローラ２０は、メモリ３０にストアされたプログラムとユーザ・インタフェースを介してユーザが与える命令とに応答して、無線通信デバイス１０の動作を制御する。トランシーバ５０はアンテナ１００を使用する無線ネットワークと無線通信デバイス１０とのインタフェースをとる。トランシーバ５０は全ての既知の無線通信標準、例えば符号分割多元接続（ＣＤＭＡ）、時分割多元接続（ＴＤＭＡ）、モバイル通信用グローバルシステム（ＧＳＭ）、全地球測位システム（ＧＰＳ）、パーソナル・デジタル・セルラ（ＰＤＣ）、高度携帯電話システム（ＡＭＰＳ）、パーソナル通信サービス（ＰＣＳ）、広帯域ＣＤＭＡ（ＷＣＤＭＡ）等のうちの一つ以上に準拠して動作してもよい。
【０００７】
マルチバンド・アンテナ１００は上記の無線通信標準の一つ以上に準拠して、信号を送信し、受信する。図示を目的に、低周波数無線通信バンドと高周波数無線通信バンドの観点から見て、アンテナ１００について以下に説明する。典型的な低周波数無線通信バンドには、ＡＭＰＳ周波数バンド（８５０ＭＨｚ）および／またはＧＳＭ低周波数バンド（９００ＭＨｚ）を含む。典型的な高周波数無線通信バンドには、ＧＳＭ高周波数バンド（１８００ＭＨｚ）および／またはＰＣＳ周波数バンド（１９００ＭＨｚ）を含む。しかしながら、評価してよいだろうが、追加または代替の無線通信周波数バンドをカバーするようにアンテナ１００を設計してもよい。
【０００８】
図２および図３に、本発明の一つの典型的な実施形態を示す。典型的なマルチバンド・アンテナ１００には折り曲げモノポール・アンテナを備える。しかしながら、本発明は、本出願と同時出願の、“マルチバンドＰＩＦＡ”（代理人ドケット番号２００２−２０４）というタイトルの係属中の願書で説明される平面逆Ｆアンテナ（ＰＩＦＡ）のような他の形式のアンテナに適用することも出来る。当該出願を引用することによって、その内容をここに合体する。
【０００９】
アンテナ１００には１個の主アンテナ素子１１０、寄生素子１２０および選択回路１４０を備える。主アンテナ素子１１０は、低および高無線通信周波数バンドにおける無線通信信号を送信し、受信する。選択回路１４０は、印刷配線板（ＰＣＢ）のグラウンド１３２に寄生素子１２０を選択的に結合し、アンテナ１００が低周波数バンドで動作する場合、寄生素子１２０と主アンテナ素子１１０との間で容量性結合を選択的に有効とする。更に、選択回路１４０は、アンテナ１００が高周波数バンドで動作する場合、容量性結合を選択的に無効とする。結果として、選択回路１４０は寄生素子１２０と主アンテナ素子１１０との間の容量性結合を制御する。
【００１０】
主アンテナ素子１１０には、ＲＦフィード１１４によってアンテナ・グラウンドから持ち上がった放射素子１１２を備え、ＲＦフィード１１４は放射素子１１２を送信器５０に電気的に接続する。放射素子１１２は、ＲＦフィード１１４を介して送信器が与える一つ以上の周波数バンドに無線通信信号を送信する。更に、放射素子１１２は、一つ以上の周波数バンドで送信された無線通信信号を受信し、受信信号をＲＦフィード１１４を介して送信器５０に与える。本発明の一つの実施形態によれば、放射素子１１２には、ＲＦフィード１１４に接続された供給端１１６と終端１１８を備えるが、ここで、供給端１１６および終端１１８は放射素子１１２の反対側にある。図２に示すように、放射素子１１２は、放射素子１１２の長さに沿って折り曲げられ、折り曲げモノポール形状を形成する。一つの典型的な実施形態によれば、放射素子１１２は４０ｍｍの長さで１２ｍｍの幅であり、終端１１８は３２ｍｍの長さであり、ＲＦフィード１１４は、放射素子１１２をＰＣＢ１３０から約７ｍｍ離れた位置に置く。
【００１１】
寄生素子１２０は、一般的には、放射素子１１２と同じ平面に、かつ、終端１１８に沿って配置され、その結果、寄生素子１２０は通常、終端１１８に平行して続く。終端１１８に対する寄生素子１２０の方向と位置のため、選択回路１４０が寄生素子１２０をグラウンド１３２に接続した場合、終端１１８と寄生素子１２０との間で電磁相互作用が発生する。この電磁相互作用により、寄生素子１２０を放射素子１１２に容量性で結合することになる。一般的には、この容量性結合は低周波数バンドの帯域幅を増加させるが、逆に高周波数バンドにおける動作に影響を与える。アンテナ１００が高周波数バンドで動作する場合は寄生素子１２０をグラウンド１３２から切り離すことにより、選択回路１４０は高周波数バンドでの容量性結合の負の効果を取り除く。
【００１２】
選択回路１４０は、寄生素子１２０とアンテナ・グラウンド１３２との間の接続を制御することにより、寄生素子１２０と放射素子１１２との間の容量性結合を制御する。アンテナ１００が低周波数バンドで動作するときには寄生素子１２０とグラウンド１３２との間に低インピーダンス接続を作り出し、アンテナ１００が高周波数バンドで動作するときには寄生素子１２０とグラウンド１３２との間に高インピーダンス接続を作り出すような全ての手段を使用して、選択回路１４０は寄生素子１２０とグラウンド１３２との間の接続を制御してもよい。一つの典型的な実施形態では、選択回路１４０にはコントローラ２０が制御するスイッチを備えてもよい。閉スイッチ１４０は寄生素子１２０とグラウンド１３２との間に短絡（ショート）回路（低インピーダンス接続）を作り出し、一方開スイッチ１４０は記寄生素子１２０とグラウンド１３２との間に開放（オープン）回路（高インピーダンス接続）を作り出す。
【００１３】
もう一つの典型的な実施形態によれば、選択回路１４０には、フィルタ１４０のような周波数依存性のあるランプ（lump）回路を備えてもよい。低周波数で低インピーダンスを、高周波数で高インピーダンスをもつようにフィルタ１４０を設計することにより、アンテナ１００が低周波数バンドで動作する時のみフィルタ１４０は寄生素子１２０をグラウンド１３２に選択的に接続する。一つの典型的な実施形態によれば、選択回路１４０には、寄生素子１２０と直列にインダクタンスを備えてもよく、インダクタンスは６．８ｎＨと２２ｎＨとの範囲にある。
【００１４】
図４および図５に、周波数の関数としてアンテナ１００の効率を示す。これらの図に示す効率曲線はＺｅａｌａｎｄ  ＩＥ３Ｄのような電磁シミュレータが生成したシミュレーション効率を表す。それ自体として、これらの効率曲線はアンテナの理想的効率を表し、誘電／導電損失または不整合損失を考慮していない。それにも拘わらず、これらの効率曲線は、アンテナの帯域幅での容量性結合の効果と相対的効率を正確に表している。図４および図５の効率曲線６０は、寄生素子１２０が放射素子１１２に容量性結合していない場合のアンテナ１００の効率応答を示している。効率曲線６０は、低周波数バンドでは少なくとも９６％の効率で約０．７５ＧＨｚの帯域幅と９９％のピーク効率を持つことを示している。更に、効率曲線６０は、１．２ＧＨｚ以上の高周波数バンドでは少なくとも９６％の効率と９９．５％のピーク効率を持つことを示している。
【００１５】
寄生素子１２０と放射素子１１２との間に容量性結合を適用することにより、アンテナ１００は放射素子１１２の内側の電磁場蓄積を増加し、そして低周波数バンドの帯域幅を増加する。帯域幅は効率に逆比例するので、帯域幅を増加することは、必然的に効率を減少する。低周波数バンドにおける周波数にとって、この周波数低下は大幅な帯域幅増加に比較してごくわずかである。しかしながら、高周波数バンドにおける周波数にとっては、効率損失は大きくなりうる。図４および図５における効率曲線７０はこれらの影響を示している。効率曲線７０が示すように、放射素子１１２への寄生素子１２０の容量性結合は低周波数バンドのピーク効率を９８．５％に減少するが、少なくとも９６％の効率を持つ低周波数帯域幅を約１．２５ＧＨｚまで拡大する。しかしながら、効率曲線７０はまた、高周波数帯域幅と効率において大幅な減少を示している。
【００１６】
本発明は、アンテナ１００が低周波数バンドで動作する時のみ容量性結合を選択的に適用することにより、この問題に対処し、アンテナ１００が高周波数バンドで動作する時は容量性結合を無効にしている。図４における効率曲線８０は、選択回路１４０にスイッチ１４０を備える場合のアンテナ１００の効率を示し、一方、図５における効率曲線９０は、選択回路１４０にフィルタ１４０を備える場合のアンテナ１００の効率を示す。どちらのケースでも、選択回路１４０が寄生素子１２０とアンテナ・グラウンドとの間に低インピーダンス接続を生成する場合、効率曲線８０および効率曲線９０は曲線７０に従う。しかしながら、選択回路１４０が寄生素子１２０とアンテナ・グラウンドとの間に高インピーダンス接続を生成する場合、効率曲線８０および効率曲線９０は曲線６０に従う。結果として、低周波数バンドは少なくとも９６％効率を持つ帯域幅を０．８ＧＨｚと０．９ＧＨｚとの間にまで増加し、一方、高周波数バンドは少なくとも９６％効率を持つ帯域幅を１．２ＧＨｚ以上に維持した。
【００１７】
図４に示すように、スイッチ１４０は約１．７ＧＨｚで容量性結合を急激に無効とする。対照的に、フィルタ１４０は、図５に示すように、インピーダンスが１．７ＧＨｚに接近するにつれて容量性結合を徐々に無効にする。図示した例は容量性結合に対する遮断周波数を１．７ＧＨｚで示すが、当業者は理解するであろうが、任意の周波数で容量性結合を遮断するようにアンテナ１００を設計してもよい。
【００１８】
寄生素子１２０と放射素子１１２との間の容量性結合のため、低周波数バンドの共振周波数で若干のシフトが発生する可能性がある。このシフトを修正するため、ＲＦフィード１１４には、共振周波数を前置容量性結合の共振周波数に再配置するようにアンテナ１００を調節する整合回路を含めてもよい。また、共振周波数を任意の所望の周波数にシフトするよう整合回路を変更してもよいということは理解されるであろう。
【００１９】
上記で説明した典型的な実施形態は、高周波数バンドの帯域幅に悪影響を与えないで、低周波数バンドの帯域幅を増加する。しかしながら、本発明はそのように限定されないということは理解されるであろう。例えば、高周波数バンドの帯域幅を増加するように寄生素子１２０を設計してもよい。この実施形態では、アンテナ１００が高周波数バンドで動作する時には寄生素子１２０と放射素子１１２との間の容量性結合を有効にするように、かつ、アンテナ１００が低周波数バンドで動作する時には容量性結合を無効にするように、選択回路１４０を設計および／または制御するであろう。
【００２０】
更に、図６に示すように、アンテナ１００には低バンド寄生素子１２０と高バンド寄生素子１２２を含めてもよい。この実施形態によれば、選択回路１４０は、低バンド寄生素子１２０をグラウンドに接続することにより低バンド容量性結合を有効にし、一方、選択回路１４２は、低周波数動作の間はグラウンドから高バンド寄生素子１２２を切断する。これにより、アンテナ１００が低周波数バンドで動作する場合は低周波数帯域幅を増加する。アンテナ１００が高周波数バンドで動作する場合は、選択回路１４２は高バンド寄生素子１２２をグラウンドに接続し、一方、選択回路１４０は低バンド寄生素子１２０をグラウンドから切断する。これにより、アンテナ１００が高周波数バンドで動作する場合は高周波数帯域幅を増加する。
【００２１】
本発明は、残りの周波数バンドの帯域幅に悪影響を与えること無く、小型のマルチバンド・アンテナ１００の少なくとも一つの周波数バンドの帯域幅を改善する。このように、より広い範囲の無線通信標準でもって、そして／またはより広い範囲の無線通信デバイス１０の中で、本発明のマルチバンド・アンテナ１００を使用してもよい。
【００２２】
勿論、本発明の本質的な特性から逸脱せずに、本明細書で具体的に説明したものと別の方法で本発明を実行してもよい。本実施形態は、あらゆる点で事例的であって限定的でないものと考えるべきであり、添付の特許請求項の意味および等価な範囲内から生じる全ての変更は、本特許請求項に包含されることを意図している。
【図面の簡単な説明】
【００２３】
【図１】本発明による無線通信デバイスのブロック図である。
【図２】本発明の実施形態による典型的なアンテナを示す図である。
【図３】図２の典型的なアンテナのブロック図である。
【図４】図２および図３のアンテナに対する周波数対効率のプロット図である。
【図５】図２および図３のアンテナに対する周波数対効率のもう一つのプロット図である。
【図６】本発明のもう一つの実施形態による典型的なアンテナのブロック図である。
【図１】
2009510900.tif 000003
【図２】
2009510900.tif 000004
【図３】
2009510900.tif 000005
【図４】
2009510900.tif 000006
【図５】
2009510900.tif 000007
【図６】
2009510900.tif 000008
【手続補正書】
【提出日】平成19年6月6日(2007.6.6)
【手続補正１】
【補正対象書類名】特許請求の範囲
【補正対象項目名】全文
【補正方法】変更
【補正の内容】
【特許請求の範囲】
【請求項１】
マルチバンド・アンテナ（１００）の帯域幅を増加するための方法であって、
前記マルチバンド・アンテナ（１００）が第１の周波数バンドで動作するとき、前記第１の周波数バンドの帯域幅を増加するため、主アンテナ素子（１１０）と前記主アンテナ素子（１１０）に近接して配置された寄生素子（１２０）とを容量性結合するステップと、
前記マルチバンド・アンテナ（１００）が第２の周波数バンドで動作するとき、前記容量性結合を無効にするステップと、
前記マルチバンド・アンテナ（１００）が前記第１の周波数バンドで動作するとき、前記第１の周波数バンドの共振周波数を維持するため、前記主アンテナ素子（１１０）のインピーダンスを調整することにより前記容量性結合に起因する共振周波数シフトを補償するステップと、
を備えることを特徴とする方法。
【請求項２】
前記主アンテナ素子（１１０）と前記寄生素子（１２０）とを容量性結合する前記ステップは、前記マルチバンド・アンテナ（１００）が前記第１の周波数バンドで動作するとき、前記寄生素子（１２０）と前記主アンテナ素子（１１０）のグラウンドとの間に低インピーダンスを生成するステップを備え、前記容量性結合を無効にする前記ステップは、前記マルチバンド・アンテナ（１００）が前記第２の周波数バンドで動作するとき、前記寄生素子（１２０）と前記主アンテナ素子（１１０）の前記グラウンドとの間に高インピーダンスを生成するステップを備えることを特徴とする請求項１に記載の方法。
【請求項３】
前記低インピーダンスを生成する前記ステップは、前記寄生素子（１２０）と前記主アンテナ素子（１１０）の前記グラウンド（１３２）との間にショート回路を生成するためにスイッチ（１４０）をクローズするステップを備え、前記高インピーダンスを生成する前記ステップは、前記寄生素子（１２０）と前記主アンテナ素子（１１０）の前記グラウンド（１３２）との間にオープン回路を生成するためにスイッチ（１４０）をオープンするステップを備えることを特徴とする請求項２に記載の方法。
【請求項４】
前記第１の周波数バンドで動作するときの前記低インピーダンスを生成するステップ、および、前記第２の周波数バンドで動作するときの前記高インピーダンスを生成するステップは、前記寄生素子（１２０）と前記主アンテナ素子（１１０）の前記グラウンド（１３２）との間にフィルタ（１４０）を配置するステップを備え、前記フィルタ（１４０）は、前記第１の周波数バンドの周波数に応答する低インピーダンスと前記第２の周波数バンドの周波数に応答する高インピーダンスとを有することを特徴とする請求項２に記載の方法。
【請求項５】
前記第１および第２の周波数バンドの一方は低周波数無線通信バンドを含み、前記第１および第２の周波数バンドのもう一方は高周波数無線通信バンドを含むことを特徴とする請求項１に記載の方法。
【請求項６】
前記低周波数バンドは、全地球測位システム、パーソナル・デジタル・セルラ、符号分割多元接続、高度携帯電話システムおよびモバイル通信用グローバルシステムの少なくとも一つで運用される低周波数バンドを含み、前記高周波数バンドは、パーソナル通信サービス、符号分割多元接続、全地球測位システムおよびモバイル通信用グローバルシステムの少なくとも一つで運用される高周波数バンドを含むことを特徴とする請求項５に記載の方法。
【請求項７】
前記主アンテナ素子（１１０）は、折り曲げモノポール・マルチバンド・アンテナ（１１０）を含むことを特徴とする請求項１に記載の方法。
【請求項８】
前記マルチバンド・アンテナ（１００）が前記第２の周波数バンドで動作するとき、前記第２の周波数バンドの帯域幅を増加するため、前記主アンテナ素子（１１０）と前記主アンテナ素子（１１０）に近接して配置された第２の寄生素子（１２２）とを容量性結合するステップと、
前記マルチバンド・アンテナ（１００）が前記第１の周波数バンドで動作するとき、前記第２の寄生素子に起因する前記容量性結合を無効にするステップと、
をさらに備えることを特徴とする請求項１に記載の方法。
【請求項９】
無線通信デバイスのためのマルチバンド・アンテナ（１００）であって、
主アンテナ素子（１１０）と、
前記主アンテナ素子（１１０）の一部に近接して配置された寄生素子（１２０）と、
前記寄生素子（１２０）に作用するよう接続された選択回路（１４０）であって、前記選択回路（１４０）は、前記マルチバンド・アンテナ（１００）が第１の周波数バンドで動作するとき、前記第１の周波数バンドの帯域幅を増加するため、前記主アンテナ素子（１１０）と前記寄生素子（１２０）との間の容量性結合を有効化するよう構成され、前記マルチバンド・アンテナ（１００）が第２の周波数バンドで動作するとき、前記容量性結合を無効化するよう構成される、選択回路と、
前記マルチバンド・アンテナ（１００）が前記第１の周波数バンドで動作するとき、前記第１の周波数バンドの共振周波数を維持するため、前記主アンテナ素子（１１０）のインピーダンスを調整することにより前記容量性結合に起因する共振周波数シフトを補償するよう構成されるインピーダンス整合回路（１１４）と、
を備えることを特徴とするマルチバンド・アンテナ。
【請求項１０】
前記選択回路（１４０）は、前記寄生素子（１２０）と前記主アンテナ素子（１１０）のグラウンド（１３２）との間に作用するよう接続されたスイッチ（１４０）を備えることを特徴とする請求項９に記載のマルチバンド・アンテナ（１００）。
【請求項１１】
前記スイッチ（１４０）は、前記マルチバンド・アンテナ（１００）が前記第１の周波数バンドで動作するとき、前記寄生素子（１２０）と前記主アンテナ素子（１１０）の前記グラウンド（１３２）との間にショート回路を形成し前記容量性結合を有効化するためにクローズするよう構成され、前記スイッチ（１４０）は、前記マルチバンド・アンテナ（１００）が前記第２の周波数バンドで動作するとき、前記寄生素子（１２０）と前記主アンテナ素子（１１０）の前記グラウンド（１３２）との間にオープン回路を形成し前記容量性結合を無効化するためにオープンするよう構成されることを特徴とする請求項１０に記載のマルチバンド・アンテナ（１００）。
【請求項１２】
前記選択回路（１４０）は、前記寄生素子（１２０）と前記主アンテナ素子（１１０）のグラウンドとの間に作用するよう接続されたフィルタ（１４０）を備えることを特徴とする請求項９に記載のマルチバンド・アンテナ（１００）。
【請求項１３】
前記フィルタ（１４０）は、前記マルチバンド・アンテナ（１００）が前記第１の周波数バンドで動作するとき前記容量性結合を有効化するための低インピーダンスを有し、前記フィルタ（１４０）は、前記マルチバンド・アンテナ（１００）が前記第２の周波数バンドで動作するとき前記容量性結合を無効化するための高インピーダンスを有することを特徴とする請求項１２に記載のマルチバンド・アンテナ（１００）。
【請求項１４】
前記主アンテナ素子（１１０）は、フィード端（１１６）と終端（１１８）とを含む放射素子（１１２）を備えることを特徴とする請求項９に記載のマルチバンド・アンテナ（１００）。
【請求項１５】
前記寄生素子（１２０）は、前記放射素子（１１２）と同一の平面にあることを特徴とする請求項１４に記載のマルチバンド・アンテナ（１００）。
【請求項１６】
前記終端（１１８）の相対的方向は、前記フィード端（１１６）の相対的方向と直交することを特徴とする請求項１４に記載のマルチバンド・アンテナ（１００）。
【請求項１７】
前記寄生素子（１２０）は、前記放射素子（１１２）の前記終端（１１８）と平行であることを特徴とする請求項１６に記載のマルチバンド・アンテナ（１００）。
【請求項１８】
前記第１および第２の周波数バンドの一方は低周波数無線通信バンドを含み、前記第１および第２の周波数バンドのもう一方は高周波数無線通信バンドを含むことを特徴とする請求項９に記載のマルチバンド・アンテナ（１００）。
【請求項１９】
前記低周波数バンドは、全地球測位システム、パーソナル・デジタル・セルラ、符号分割多元接続、高度携帯電話システムおよびモバイル通信用グローバルシステムの少なくとも一つで運用される低周波数バンドを含み、前記高周波数バンドは、パーソナル通信サービス、符号分割多元接続、全地球測位システムおよびモバイル通信用グローバルシステムの少なくとも一つで運用される高周波数バンドを含むことを特徴とする請求項１８に記載のマルチバンド・アンテナ（１００）。
【請求項２０】
前記主アンテナ素子（１１０）の一部に近接して配置された第２の寄生素子（１２２）と、
前記第２の寄生素子（１２２）に作用するよう接続された第２の選択回路（１４２）であって、前記第２の選択回路（１４０）は、前記マルチバンド・アンテナ（１００）が前記第２の周波数バンドで動作するとき、前記第２の周波数バンドの帯域幅を増加するため、前記主アンテナ素子（１１０）と前記第２の寄生素子（１２２）との間の容量性結合を有効化し、前記マルチバンド・アンテナ（１００）が前記第１の周波数バンドで動作するとき、前記第２の寄生素子（１２２）に起因する前記容量性結合を無効化するよう構成される、第２の選択回路と、
をさらに備えることを特徴とする請求項９に記載のマルチバンド・アンテナ（１００）。
【請求項２１】
前記主アンテナ素子（１１０）は、折り曲げモノポール・アンテナ（１１０）を含むことを特徴とする請求項９に記載のマルチバンド・アンテナ（１００）。
【請求項２２】
無線通信デバイス（１０）であって、
無線ネットワークを介して無線信号を送信し受信するように構成されるトランシーバ（５０）と、
前記トランシーバ（５０）に作用するよう接続されたマルチバンド・アンテナ（１００）であって、
主アンテナ素子（１１０）と、
前記主アンテナ素子（１１０）の一部に近接して配置された寄生素子（１２０）と、
前記寄生素子（１２０）に作用するよう接続された選択回路（１４０）であって、前記選択回路（１４０）は、前記マルチバンド・アンテナ（１００）が第１の周波数バンドで動作するとき、前記第１の周波数バンドの帯域幅を増加するため、前記主アンテナ素子（１１０）と前記寄生素子（１２０）との間の容量性結合を有効化するよう構成され、前記マルチバンド・アンテナ（１００）が第２の周波数バンドで動作するとき、前記容量性結合を無効化するよう構成される、選択回路と、
前記マルチバンド・アンテナ（１００）が前記第１の周波数バンドで動作するとき、前記第１の周波数バンドの共振周波数を維持するため、前記主アンテナ素子（１１０）のインピーダンスを調整することにより前記容量性結合に起因する共振周波数シフトを補償するよう構成されるインピーダンス整合回路（１１４）と、
を備える、マルチバンド・アンテナと、
を備えることを特徴とする無線通信デバイス。
【請求項２３】
前記選択回路（１４０）は、前記寄生素子（１２０）と前記主アンテナ素子（１１０）のグラウンドとの間に作用するよう接続されたスイッチ（１４０）を備え、前記スイッチ（１４０）は、前記マルチバンド・アンテナ（１００）が前記第１の周波数バンドで動作するとき、前記寄生素子（１２０）と前記主アンテナ素子（１１０）の前記グラウンド（１３２）との間にショート回路を形成し前記容量性結合を有効化するためにクローズするよう構成され、前記スイッチ（１４０）は、前記マルチバンド・アンテナ（１００）が前記第２の周波数バンドで動作するとき、前記寄生素子（１２０）と前記主アンテナ素子（１１０）の前記グラウンド（１３２）との間にオープン回路を形成し前記容量性結合を無効化するためにオープンするよう構成されることを特徴とする請求項２２に記載の無線通信デバイス（１０）。
【請求項２４】
前記選択回路（１４０）は、前記寄生素子（１２０）と前記主アンテナ素子（１１０）のグラウンドとの間に作用するよう接続されたフィルタ（１４０）を備え、前記フィルタ（１４０）は、前記マルチバンド・アンテナ（１００）が前記第１の周波数バンドで動作するとき前記容量性結合を有効化するための低インピーダンスを有し、前記フィルタ（１４０）は、前記マルチバンド・アンテナ（１００）が前記第２の周波数バンドで動作するとき前記容量性結合を無効化するための高インピーダンスを有することを特徴とする請求項２２に記載の無線通信デバイス（１０）。
【請求項２５】
前記第１および第２の周波数バンドの一方は低周波数無線通信バンドを含み、前記第１および第２の周波数バンドのもう一方は高周波数無線通信バンドを含むことを特徴とする請求項２２に記載の無線通信デバイス（１０）。
【請求項２６】
前記低周波数バンドは、全地球測位システム、パーソナル・デジタル・セルラ、符号分割多元接続、高度携帯電話システムおよびモバイル通信用グローバルシステムの少なくとも一つで運用される低周波数バンドを含み、前記高周波数バンドは、パーソナル通信サービス、符号分割多元接続、全地球測位システムおよびモバイル通信用グローバルシステムの少なくとも一つで運用される高周波数バンドを含むことを特徴とする請求項２５に記載の無線通信デバイス（１０）。
【請求項２７】
前記マルチバンド・アンテナ（１００）は、
前記主アンテナ素子（１１０）の一部に近接して配置された第２の寄生素子（１２２）と、
前記第２の寄生素子（１２２）に作用するよう接続された第２の選択回路（１４２）であって、前記第２の選択回路（１４０）は、前記マルチバンド・アンテナ（１００）が前記第２の周波数バンドで動作するとき、前記第２の周波数バンドの帯域幅を増加するため、前記主アンテナ素子（１１０）と前記第２の寄生素子（１２２）との間の容量性結合を有効化し、前記マルチバンド・アンテナ（１００）が前記第１の周波数バンドで動作するとき、前記第２の寄生素子（１２２）に起因する前記容量性結合を無効化するよう構成される、第２の選択回路と、
をさらに備えることを特徴とする請求項２２に記載の無線通信デバイス（１０）。
【請求項２８】
前記主アンテナ素子（１１０）は、折り曲げモノポール・アンテナ（１１０）を含むことを特徴とする請求項２２に記載の無線通信デバイス（１０）。
【手続補正書】
【提出日】平成20年4月28日(2008.4.28)
【手続補正１】
【補正対象書類名】特許請求の範囲
【補正対象項目名】全文
【補正方法】変更
【補正の内容】
【特許請求の範囲】
【請求項１】
マルチバンド・アンテナ（１００）の帯域幅を増加するための方法であって、
前記マルチバンド・アンテナ（１００）が第１の周波数バンドで動作するとき、前記第１の周波数バンドの帯域幅を増加するため、主アンテナ素子（１１０）と前記主アンテナ素子（１１０）に近接して配置された寄生素子（１２０）とを容量性結合するステップと、
前記マルチバンド・アンテナ（１００）が第２の周波数バンドで動作するとき、前記容量性結合を無効にするステップと、
前記マルチバンド・アンテナ（１００）が前記第１の周波数バンドで動作するとき、前記第１の周波数バンドの共振周波数を維持するため、前記主アンテナ素子（１１０）のインピーダンスを調整することにより前記容量性結合に起因する共振周波数シフトを補償するステップと、
を備えることを特徴とする方法。
【請求項２】
前記主アンテナ素子（１１０）と前記寄生素子（１２０）とを容量性結合する前記ステップは、前記マルチバンド・アンテナ（１００）が前記第１の周波数バンドで動作するとき、前記寄生素子（１２０）と前記主アンテナ素子（１１０）のグラウンドとの間に低インピーダンスを生成するステップを備え、前記容量性結合を無効にする前記ステップは、前記マルチバンド・アンテナ（１００）が前記第２の周波数バンドで動作するとき、前記寄生素子（１２０）と前記主アンテナ素子（１１０）の前記グラウンドとの間に高インピーダンスを生成するステップを備えることを特徴とする請求項１に記載の方法。
【請求項３】
前記第１の周波数バンドで動作するときの前記低インピーダンスを生成するステップ、および、前記第２の周波数バンドで動作するときの前記高インピーダンスを生成するステップは、前記寄生素子（１２０）と前記主アンテナ素子（１１０）の前記グラウンド（１３２）との間にフィルタ（１４０）を配置するステップを備え、前記フィルタ（１４０）は、前記第１の周波数バンドの周波数に応答する低インピーダンスと前記第２の周波数バンドの周波数に応答する高インピーダンスとを有することを特徴とする請求項２に記載の方法。
【請求項４】
前記第１および第２の周波数バンドの一方は低周波数無線通信バンドを含み、前記第１および第２の周波数バンドのもう一方は高周波数無線通信バンドを含むことを特徴とする請求項１に記載の方法。
【請求項５】
前記マルチバンド・アンテナ（１００）が前記第２の周波数バンドで動作するとき、前記第２の周波数バンドの帯域幅を増加するため、前記主アンテナ素子（１１０）と前記主アンテナ素子（１１０）に近接して配置された第２の寄生素子（１２２）とを容量性結合するステップと、
前記マルチバンド・アンテナ（１００）が前記第１の周波数バンドで動作するとき、前記第２の寄生素子に起因する前記容量性結合を無効にするステップと、
をさらに備えることを特徴とする請求項１に記載の方法。
【請求項６】
無線通信デバイスのためのマルチバンド・アンテナ（１００）であって、
主アンテナ素子（１１０）と、
前記主アンテナ素子（１１０）の一部に近接して配置された寄生素子（１２０）と、
前記寄生素子（１２０）に作用するよう接続された選択回路（１４０）であって、前記選択回路（１４０）は、前記マルチバンド・アンテナ（１００）が第１の周波数バンドで動作するとき、前記第１の周波数バンドの帯域幅を増加するため、前記主アンテナ素子（１１０）と前記寄生素子（１２０）との間の容量性結合を有効化するよう構成され、前記マルチバンド・アンテナ（１００）が第２の周波数バンドで動作するとき、前記容量性結合を無効化するよう構成される、選択回路と、
前記マルチバンド・アンテナ（１００）が前記第１の周波数バンドで動作するとき、前記第１の周波数バンドの共振周波数を維持するため、前記主アンテナ素子（１１０）のインピーダンスを調整することにより前記容量性結合に起因する共振周波数シフトを補償するよう構成されるインピーダンス整合回路（１１４）と、
を備えることを特徴とするマルチバンド・アンテナ。
【請求項７】
前記選択回路（１４０）は、前記寄生素子（１２０）と前記主アンテナ素子（１１０）のグラウンド（１３２）との間に作用するよう接続されたスイッチ（１４０）を備えることを特徴とする請求項６に記載のマルチバンド・アンテナ（１００）。
【請求項８】
前記フィルタ（１４０）は、前記マルチバンド・アンテナ（１００）が前記第１の周波数バンドで動作するとき前記容量性結合を有効化するための低インピーダンスを有し、前記フィルタ（１４０）は、前記マルチバンド・アンテナ（１００）が前記第２の周波数バンドで動作するとき前記容量性結合を無効化するための高インピーダンスを有することを特徴とする請求項７に記載のマルチバンド・アンテナ（１００）。
【請求項９】
前記主アンテナ素子（１１０）は、フィード端（１１６）と終端（１１８）とを含む放射素子（１１２）を備えることを特徴とする請求項６に記載のマルチバンド・アンテナ（１００）。
【請求項１０】
前記寄生素子（１２０）は、前記放射素子（１１２）と同一の平面にあることを特徴とする請求項９に記載のマルチバンド・アンテナ（１００）。
【請求項１１】
前記終端（１１８）の相対的方向は、前記フィード端（１１６）の相対的方向と直交することを特徴とする請求項９に記載のマルチバンド・アンテナ（１００）。
【請求項１２】
前記寄生素子（１２０）は、前記放射素子（１１２）の前記終端（１１８）と平行であることを特徴とする請求項１１に記載のマルチバンド・アンテナ（１００）。
【請求項１３】
前記第１および第２の周波数バンドの一方は低周波数無線通信バンドを含み、前記第１および第２の周波数バンドのもう一方は高周波数無線通信バンドを含むことを特徴とする請求項６に記載のマルチバンド・アンテナ（１００）。
【請求項１４】
前記主アンテナ素子（１１０）の一部に近接して配置された第２の寄生素子（１２２）と、
前記第２の寄生素子（１２２）に作用するよう接続された第２の選択回路（１４２）であって、前記第２の選択回路（１４０）は、前記マルチバンド・アンテナ（１００）が前記第２の周波数バンドで動作するとき、前記第２の周波数バンドの帯域幅を増加するため、前記主アンテナ素子（１１０）と前記第２の寄生素子（１２２）との間の容量性結合を有効化し、前記マルチバンド・アンテナ（１００）が前記第１の周波数バンドで動作するとき、前記第２の寄生素子（１２２）に起因する前記容量性結合を無効化するよう構成される、第２の選択回路と、
をさらに備えることを特徴とする請求項６に記載のマルチバンド・アンテナ（１００）。
【請求項１５】
前記主アンテナ素子（１１０）は、折り曲げモノポール・アンテナ（１１０）を含むことを特徴とする請求項６に記載のマルチバンド・アンテナ（１００）。
【請求項１６】
無線通信デバイス（１０）であって、
無線ネットワークを介して無線信号を送信し受信するように構成されるトランシーバ（５０）と、
前記トランシーバ（５０）に作用するよう接続されたマルチバンド・アンテナ（１００）であって、
主アンテナ素子（１１０）と、
前記主アンテナ素子（１１０）の一部に近接して配置された寄生素子（１２０）と、
前記寄生素子（１２０）に作用するよう接続された選択回路（１４０）であって、前記選択回路（１４０）は、前記マルチバンド・アンテナ（１００）が第１の周波数バンドで動作するとき、前記第１の周波数バンドの帯域幅を増加するため、前記主アンテナ素子（１１０）と前記寄生素子（１２０）との間の容量性結合を有効化するよう構成され、前記マルチバンド・アンテナ（１００）が第２の周波数バンドで動作するとき、前記容量性結合を無効化するよう構成される、選択回路と、
前記マルチバンド・アンテナ（１００）が前記第１の周波数バンドで動作するとき、前記第１の周波数バンドの共振周波数を維持するため、前記主アンテナ素子（１１０）のインピーダンスを調整することにより前記容量性結合に起因する共振周波数シフトを補償するよう構成されるインピーダンス整合回路（１１４）と、
を備える、マルチバンド・アンテナと、
を備えることを特徴とする無線通信デバイス。
【国際調査報告】
2009510900.tif 000009
2009510900.tif 000010
2009510900.tif 000011